(57)【要約】  【課題】  気管内挿管チューブ、或いは気管切開カニューレ内分泌物の吸引操作時の吸引カテーテル汚染を原因とする呼吸器感染症を防止する。また、カテーテルの吸引と交換操作を簡単にし、完成度が高い、合併症を抑制した医療行為としての吸引操作を可能とさせる。  【解決手段】吸引カテーテルを滅菌カセット内に収納し、ワンタッチでカセットを着脱できる吸引グリップのレバー操作で吸引使用時にのみカセットからカテーテルを電動力で繰出し、従来型の露出したままのカテーテルの不測の汚染による感染症を予防する。カセット化により操作が簡易化しカセット装着吸引グリップのみの既存吸引器との連結使用のほか、優れた携帯性から３電源対応の太陽電池電源の採用により、無電源地区、災害現場および発展途上国にも適応できる医療用吸引装置となった。【選択図】  図１
2013005907.tif 000002
【特許請求の範囲】
【請求項１】
筐体と、
筐体に着脱自在に装着され吸引カテーテルを巻き込み、繰り出し自在に収容するカセットリール装置と、
カセットリール装置の筐体への着脱時にカセットリール装置に収容された吸引カテーテルを外部吸引装置に接離自在に接続させる接離手段と、
カセットリール装置を筐体に装着した状態で吸引カテーテルを巻き込み、繰り出し駆動させる駆動機構と、を含むことを特徴とする医療用吸引装置。
【請求項２】
接離手段は、一部が外部吸引装置に連通して吸引物を排出するとともに、他部がカセットリール装置を着脱自在に支承し、それに収容された吸引カテーテルに着脱自在に内部が連通する中空管体を含むことを特徴とする請求項１記載の医療用吸引装置。
【請求項３】
中空管体が筐体内に回転自在に軸支され、
カセットリール装置は該中空管体に装着された状態で中空管体と一体回転するように設けられていることを特徴とする請求項１又は２記載の医療用吸引装置。
【請求項４】
筐体は人が片手で把持できる大きさであり、
１つ又は複数の指により吸引カテーテルの巻き込み、繰り出し駆動のための操作を行なう操作部を有することを特徴とする請求項１ないし３のいずれかに記載の医療用吸引装置。
【請求項５】
吸引カテーテルの吸引圧調整部を設けたことを特徴とする請求項１ないし４のいずれかに記載の医療用吸引装置。
【請求項６】
カセットリール装置には、吸引カテーテル中空内部と、吸引カテーテルと吸引カテーテルを収容する保護ケースとの間隙部分と、を洗浄消毒するための連通孔が設けられていることを特徴とする請求項１ないし５のいずれかに記載の医療用吸引装置。
【請求項７】
吸引カテーテル先端の繰り出し送出長さを指定すると所定の繰り出し量で繰り出す繰り出し装置と、
繰り出し長さをディスプレイ装置に表示させるとともにディスプレイ装置と連係して繰り出し量を外部設定する繰り出し長さ設定装置を有することを特徴とする請求項１ないし６のいずれかに記載の医療用吸引装置。
【請求項８】
吸引カテーテル先端の繰り出し送出長さを記録保持する記憶装置を有することを特徴とする請求項１ないし７のいずれかに記載の医療用吸引装置。
【請求項９】
筐体は、巻き込み、繰り出し駆動のための操作を行なう操作部を引き金状に操作する位置に配置させた銃体形状からなることを特徴とする請求項１ないし８のいずれかに記載の医療用吸引装置。
【請求項１０】
筐体はグリップ部と嘴管部とからなる銃体形状であり、嘴管部の先端部分には、全周方向に可変可能な可撓性管部が設けられていることを特徴とする請求項９記載の医療用吸引装置。
【発明の詳細な説明】
【技術分野】
【０００１】
本発明は医療用吸引装置に関し、特に気管内吸引カテーテルによる気道内分泌物の吸引装置に関する。
【背景技術】
【０００２】
現在の医療現場で行われている気管内吸引処置は、シリコンラバー製吸引カテーテルを壁付、或いは床置き大型吸引器に連結し、長さが６０ｃｍの滅菌カテーテルが周りに触れて不潔にならないように注意しながら、カテーテル先端を消毒したピンセットか滅菌手袋を着用した手で誘導して行われている。この医療における基本的な吸引操作手技は、５０年以上前と比べて殆ど変っていない。手術室における挿管麻酔時の吸引カテーテルの取り扱いも、一度気道内吸引に使用後に酒精綿で清拭したのち、不潔にならないように消毒した容器に突っ込んだり、円筒形の容器の消毒薬中に浸けたり、長い吸引カテーテルを周りに触れないように麻酔器の端で宙にぶら下げたりして、可及的に清潔を保ち再使用に備える場合があり、麻酔医の判断で何回も再使用されることも多く、一回使用毎にカテーテルを新しいものと取り替えることは、残念なことではあるが、感染に弱い免疫不全の患者等の特別な症例以外ではあまり行われていないのが現状である。また、最も気管内吸引が頻回に行われている人工呼吸装置を装着中の患者が集められている集中治療室、救急治療室、ＩＣＵ，ＮＩＣＵ等では入院患者の肺炎は、気管内吸引操作時における吸引カテーテル汚染にその最も多くの原因があるとされている。
【０００３】
医療用吸引カテーテルの使用については、米国で２００３年度医療ケア関連肺炎防止のためのＣＤＣガイドライン（非特許文献１，２）が公表されており、原則としてカテーテルは一回の使用ごとに、新しいカテーテルと交換することを奨励している。しかしながら、現実においては、徹底した使い捨てには、あまりにも膨大な器材の消耗と経費が必要で実行されていないのが現状である。ちなみに、本邦の保険医療制度においては使用される吸引カテーテルはすべて基本的な医療行為料金に包含されており、カテーテルを何本用いても医療材料費として計上して請求することはできない。
【先行技術文献】
【非特許文献】
【０００４】
【非特許文献１】CDC（Centersfor Disease Control and Prevention,アメリカ疾患予防センター）:Guidelines for Preventing Health-Care-Associated Pneumonia.  MMWR2003;53(RR-3):1-36
【非特許文献２】矢野邦夫訳：医療ケア関連肺炎防止のためのＣＤＣガイドライン．メディカ出版。大阪  ２００４
【発明の概要】
【発明が解決しようとする課題】
【０００５】
人工呼吸装置等で長期間に渉る気管内挿管管理中の患者にとって、最も恐ろしい合併症は肺炎で、発症すると免疫力が低下した高齢者ではしばしば致命的となる。更に最近の院内感染では、多剤耐性菌、特にＭＲＳＡ（Methicillin resistant staphylococcus aureus），多剤耐性緑膿菌、ＶＲＥ(Vancomycin resistant enterococcus)等の抗生物質や抗菌剤が効かず、治療が極めて困難な菌種が増加してきている。これら薬が効かない細菌感染と戦う唯一最善の方法は感染予防以外にない。即ち、如何に感染を防ぐかは、その肺炎を惹起する最大の原因とされる気道内吸引カテーテルの汚染をいかに防ぐかに集約される。
【０００６】
ところが現在、広く医療分野で行われている気道内吸引時の無菌操作は、利き手に滅菌手袋をはめるかピンセット(攝子、セッシ)を持って、シリコンラバー製の滅菌吸引カテーテルの先端を把持し、他方の手で吸引管の基部を持って、露出しブラブラする長いカテーテルが周辺に触れて不潔にならないように注意しながらカテーテルの先端を患者の気管内挿管チューブや気管切開チューブ内に挿入し、それぞれのチューブ先端まで吸引カテーテルを進め（成人の気管内挿管で門歯列から約２２〜２４ｃｍ）、その部位でカテーテル先端を微妙に動かし、同時に拇指で圧調整孔を調整して粘膜への吸着を防ぎながら吸引を行っている。すなわち一人で行う時は両手を用い、その際、片手を離して気管チューブに吸引カテーテルを入れるために固定しようと持ち替えれば、長い吸引カテーテルは使用前でも気付かぬうちに周辺に触れて汚染し、感染の原因となる。手術の時の様にガウンテクニックで全身と周辺全てを消毒衣で被って汚染を防止している訳では無いので、吸引カテーテル汚染は日常茶飯に起こるのは当然のことと予測される。さらに、一度使用した吸引カテーテルは原則廃棄されるか再消毒されるべきであるが、現実には同一患者では医師の判断によって、一定の短時間以内に限っては、しばしば再使用されている。この間、使用中の吸引カテーテルは非使用時には消毒薬と生理的食塩水入りの容器等に入れたり、酒精消毒綿で付着した分泌物を拭い取ったりしている。この医療における基本的な気管内吸引操作手技に関しては、何も進歩や改善がないままに臨床で実践され、この一連のカテーテルの無菌操作、清潔管理、消毒等の程度、方法についてはすべて担当医の判断に任せられていることが多い。上記ＣＤＣの「医療ケア関連肺炎防止のためのガイドライン」では気管内吸引操作時の手指の消毒とカテーテルの無菌操作が最も重要とし、滅菌カテーテルの単回使用を勧告しているが、在宅医療のみならず近代的な大病院ですら、同一患者では経済的制約から同じカテーテルを短時間以内は繰り返し使用しているのが現状である。
【０００７】
また、緊急災害時での電源が確保出来ない処では、救急車装備の吸引器、手動或いは足踏み吸引器、大きい注射器にカテーテルを付けて強く引いて代用など、現在は極めて不十分な吸引器具しかない状況であり、災害避難所などでの医療行為の大きな支障になっている。
【０００８】
本発明は上記従来の課題に鑑みてなされたものであり、その一つの目的は、吸引カテーテルの気管チューブへの挿入操作時にカテーテルの余長部分をなくし、周囲の施設や物品への接触による汚染をなくし、カテーテルを原因とする感染を確実に防止させることができる医療用吸引装置を提供することにある。また、本発明の他の目的は、カテーテルの交換操作を簡単にし得るとともに、その洗浄、消毒を簡易に行なえる医療用吸引装置を提供することにある。また、本発明の他の目的は、例えば医師や看護師が片手のみで使用でき、他の手を自身や患者の支持、医療行為自体に向けて自由に使用できるようにしてカテーテルの物品等への接触防止とともに、カテーテルの先端部の動きなどを確実に制御することができる医療用吸引装置を提供することにある。
【課題を解決するための手段】
【０００９】
上記課題を解決するために本発明は、筐体２と、筐体２に着脱自在に装着され吸引カテーテル６を巻き込み、繰り出し自在に収容するカセットリール装置３と、カセットリール装置３の筐体への着脱時にカセットリール装置３に収容された吸引カテーテル６を外部吸引装置３０に接離自在に接続させる接離手段４と、カセットリール装置３を筐体２に装着した状態で吸引カテーテル６を巻き込み、繰り出し駆動させる駆動機構５と、を含むことを特徴とする医療用吸引装置１から構成される。本発明は気管内吸引カテーテルを滅菌カセット、すなわちカセットリール装置内に収納して、吸引時にのみカセットから電動力で繰出して使用し、通常はカセット内にあって汚染より保護し、カテーテル汚染が原因とされる肺炎などの感染症を予防することで救命率の改善に寄与する医療用吸引装置である。本装置は、滅菌したカセットリール装置内に、ゴム質等で曲がりやすく無定形の吸引カテーテルを常時収納し、使用時にのみカセットリール装置から電動力で繰出し使用される。カセットリール装置はワンタッチで筐体に着脱でき、無菌管理と操作性に優れ、全操作が片手で可能となる。医療用吸引装置は、小型３電源吸引器にも接続され、吸引カテーテルの自由自在駆動、簡易化、携帯性向上、感染防御をもたらすことができる。カセットリール装置のデザイン、収納する吸引カテーテルの長さや径は用途により多種類を準備し色で区分するとよい。筐体へのカセットリール装置の装着部分は統一規格とし、どのカセットリール装置でも装着可能とし、麻酔テーブルからの落下防止用の壁掛け用ストライプとフックを付けるようにするとよい。カセットリール装置の保護ケースの素材は透明で内部の汚染や閉塞状況を透見できるものがよい。
【００１０】
その際、接離手段４は、一部１４ｂが外部吸引装置３０に連通して負圧吸引を生じさせるとともに、他部１４ａがカセットリール装置３を着脱自在に支承し、それに収容された吸引カテーテル６に着脱自在に内部６ａが連通する中空管体１４を含むとよい。中空管体１４はカセットリール装置３のリール芯部分と中空管体本体を分割、結合構成としても良いし、１つの中空管体に吸引カテーテルを巻き込むリールを中空管体の軸方向から挿入して外嵌させるようにしてもよい。
【００１１】
また、中空管体１４が筐体２内に回転自在に軸支され、カセットリール装置３は該中空管体１４に装着された状態で中空管体と一体回転するように設けられるとよい。
【００１２】
また、筐体２は人が片手で把持できる大きさであり、１つ又は複数の指により吸引カテーテル６の巻き込み、繰り出し駆動のための操作を行なう操作部８，９を有するようにしてもよい。
【００１３】
また、吸引カテーテル６の吸引圧調整部４２を設けるとよい。
【００１４】
また、カセットリール装置３には、吸引カテーテル６中空内部６ａと、吸引カテーテルと吸引カテーテルを収容する保護ケース１０との間隙部分２３と、を洗浄消毒するための連通孔１２６が設けられるとなおよい。
【００１５】
また、吸引カテーテル先端の繰り出し送出長さを指定すると所定の繰り出し量で繰り出す繰り出し装置７０と、繰り出し長さをディスプレイ装置８４に表示させるとともにディスプレイ装置と連係して繰り出し量を外部設定する繰り出し長さ設定装置８２を有するようにするとよい。
【００１６】
また、吸引カテーテル先端の繰り出し送出長さを記録保持する記憶装置８２を有するとよい。
【００１７】
さらに、筐体２は、巻き込み、繰り出し駆動のための操作を行なう操作部８，９を引き金状に操作する位置に配置させた銃体形状で形成するとよい。
【００１８】
また、筐体２はグリップ部２０２と嘴管部２０４とからなる銃体形状であり、嘴管部２０４の先端部分には、全周方向に可変可能な可撓性管部７が設けられているとよい。カセットリール装置からの吸引カテーテルの出し入れは、吸引カテーテルの長さが短い気管切開用のものは手動レバー連動、長いものでは電気モータ駆動装置とするとよい。銃体形状の筐体の嘴管部は全方向に可変可能構造とし、吸引チューブの出る方向をあらかじめコントロール可能としておくとよい。例えば、術中の多くは患者の頭側から、気管切開患者では足側の側方からアプローチして吸引操作をするので、頭側からの吸引操作の場合は上方へ６０度、側方からの吸引操作の場合は斜め下方向へ６０度ほど嘴管が曲がっているものが使いやすい。
【発明の効果】
【００１９】
本発明の医療用吸引装置によれば、筐体と、筐体に着脱自在に装着され吸引カテーテルを巻き込み、繰り出し自在に収容するカセットリール装置と、カセットリール装置の筐体への着脱時にカセットリール装置に収容された吸引カテーテルを外部吸引装置に接離自在に接続させる接離手段と、カセットリール装置を筐体に装着した状態で吸引カテーテルを巻き込み、繰り出し駆動させる駆動機構と、を含む構成であるから、吸引カテーテルの気管チューブからの挿入操作時にカテーテルの余長部分をなくし、周囲の施設や物品への接触をなくしてカテーテルを原因とする感染を確実に防止させることがきる。また、カテーテル自体はカセットリール装置に巻き取らせた状態で脱着するから、カテーテルの交換操作が簡単で看護者等が煩わしさを感じることなく使用後のカテーテル交換を促進させ得る。さらに、片手のみの使用により他の手を自身や患者の支持、医療行為自体に向けて使用できるので、カテーテルの物品等への接触防止とともに、カテーテルの先端部の動きなどを確実に制御して精度の高い医療行為を施すことができる。結果として清潔操作が容易となり、肺炎合併症が減少し、救命率の向上に資する。
【００２０】
また、接離手段は、一部が外部吸引装置に連通して吸引物を排出するとともに、他部がカセットリール装置を着脱自在に支承し、それに収容された吸引カテーテルに着脱自在に内部が連通する中空管体を含む構成であるから、中空管体をリールの回転軸とし、中空管体の内部をリールに巻装された吸引カテーテルとの連通吸引経路とし、さらに中空管体を介してリール機構を有するカセットリール装置の着脱機構とした多機能構成で構造を簡素化し、低コスト化を図れる。
【００２１】
また、中空管体が筐体内に回転自在に軸支され、カセットリール装置は該中空管体に装着された状態で中空管体と一体回転するように設けられた構成とすることにより、吸引経路を確保しながらリール機構の回転による吸引カテーテルの繰り出し、巻取り駆動構成を同時に実現し、吸引機構と、駆動機構を含む全体構造の簡素化を実現し得る。
【００２２】
また、筐体は人が片手で把持できる大きさであり、１つ又は複数の指により吸引カテーテルの巻き込み、繰り出し駆動のための操作を行なう操作部を有する構成であるから、片手の操作のみで微妙なカテーテルの進退移動を制御でき、正確なカテーテルの気管チューブ内への挿入と目的点への到達、吸引操作を行なうことができ、あわせて、カテーテルの周囲物品への接触防止の留意を徹底することができる。
【００２３】
また、吸引カテーテルの吸引圧調整部を設けた構成とすることにより、駆動機構による吸引カテーテルの精密な機械的駆動とともに、吸引圧調整により適正に患者への吸引医療行為を行なうことができる。
【００２４】
また、カセットリール装置には、吸引カテーテル中空内部と、吸引カテーテルと吸引カテーテルを収容する保護ケースとの間隙部分と、を洗浄消毒するための連通孔が設けられた構成であるから、同一人の再使用などの際のカセットリール装置の洗浄、消毒の完全を期すことができる。
【００２５】
また、吸引カテーテル先端の繰り出し送出長さを指定すると所定の繰り出し量で繰り出す繰り出し装置と、繰り出し長さをディスプレイ装置に表示させるとともにディスプレイ装置と連係して繰り出し量を外部設定可能な繰り出し長さ設定装置を有する構成であるから、カテーテルの繰出し送出長さを予め設定して気管挿入チューブ内での目的位置まで迅速に送出し、さらに微妙な先端位置調整を行なうようにできるから、吸引カテーテル挿入操作時間を短縮でき、患者への負担も軽減させることができる。
【００２６】
また、吸引カテーテル先端の繰り出し送出長さを記録保持する記憶装置を有する構成とすることにより、再度の吸引操作時などに到達点に早くカテーテルを送出させることができる。
【００２７】
また、筐体は、巻き込み、繰り出し駆動のための操作を行なう操作部を引き金状に操作する位置に配置させた銃体形状からなる構成であるから、グリップ部とカテーテル送出のためのバレル部分による案内構成を利用して、操作性のよい装置を実現し得る。
【００２８】
また、筐体はグリップ部と嘴管部とからなる銃体形状であり、嘴管部の先端部分には、全周方向に可変可能な可撓性管部が設けられている構成とすることにより、気管切開患者と非切開患者のように、気管挿入チューブの取付角度が異なる場合に対応して嘴管部先端からのカテーテルの伸長角度を設定し、患者に無理がかからない状態で吸引行為を行なうことができる。
【図面の簡単な説明】
【００２９】
【図１】本発明の実施形態に係る医療用吸引装置に装着されるカセットリール装置の概略構成を同時に示した医療用吸引装置の片面カバーを取り外した正面図である。
【図２】図１の医療用吸引装置の縦断面図である。
【図３】図１のカセットリール装置の概略拡大断面図である。
【図４】筐体の嘴管部先端部分の一部省略拡大断面説明図である。
【図５】カセットリール装置に収容されるカテーテルの先端部分の一部省略拡大説明図である。
【図６】図１の医療用吸引装置を用いたカテーテル吸引システムの構成説明図である。
【図７】図１の医療用吸引装置のディスプレイ装置と制御部分との電気的接続関係を示すブロック説明図である。
【発明を実施するための形態】
【００３０】
以下に本発明を実施するための形態を具体的に図面を参照して説明する。本発明は、減菌吸引カテーテルを患者の気管内に送出する医療用吸引装置に関するものであり、この医療用吸引装置は、一般には患者の口腔鼻腔に挿入された気管チューブに沿って挿入される。
【００３１】
図１ないし図７は、本発明の実施形態に係る医療用吸引装置１を示しており、図１において、医療用吸引装置１は、筐体２と、カセットリール装置３と、外部吸引装置との接離手段４と、駆動機構５と、を含む。
【００３２】
筐体２は、カテーテル６を収容したカセットリール装置３、駆動機構５、外部吸引装置に接続される外部吸引管等を内部に収容する保護ケースであり、例えば片手で把持し得る程度の大きさのケース体であるのが好ましい。具体的な形状、大きは問われないが、特に、本実施形態では片手の手及び指で確実に把持し得る銃体形状で形成されている。すなわち、実施形態において、筐体２は、グリップ部２０２と嘴管部２０４とを含む銃体からなり、嘴管部２０４の先端部分には全周方向に自在に変向しその状態を保持する可撓性管部（フレキシブル管部）７が取り付けられている。可撓性管部７の先端からカテーテルが繰り出されながら伸長駆動される。可撓性管部７は、患者に装着されている挿管チューブのチムニーピースに挿入可能な小さめのサイズとし連結はしない。
【００３３】
筐体２のグリップ部２０２には、握った際引き金状に操作する位置に操作部８、９が設けられている。操作部８、９は、カテーテル６の巻き込み、繰り出し駆動のための操作を行なうものであり、グリップ部内に配置したコントローラ（制御装置）と電気的に接続されている。
【００３４】
図４において、嘴管部２０４の先端部分の可撓性管部７の内部を挿通して吸引カテーテル６の先端側が伸長、縮長自体に案内されながら移動する。可撓性管部７の内径側と吸引カテーテル６との外周側との間には小さな隙間ｈが形成されており、洗浄時にはこの隙間からも矢視のように洗浄液を吸い込み、ガイド管２１，２０を経由して矢視ｑのように吸い出され、保護ケース１０内のカテーテル間隙等を洗浄する。なお、この部分は、カテーテルの進退移動時に隙間ｈを閉鎖し、洗浄時に開放する機構を設けるとなおよい。なお、カテーテル６からは痰等の吸引物が吸引される。
【００３５】
図１，３において、カセットリール装置３は、筐体２に着脱自在に装着されるカテーテル収容手段であり、特に、筐体への着脱装着と、カテーテルの巻き込み繰り出し機能と、を同時に有する。
【００３６】
図３において、カセットリール装置３は、保護ケース１０と、保護ケース内において保護ケースに空回り自在に設けられた芯受け１６と、芯受け１６に多重に巻回されて巻き取られる吸引カテーテル６と、を含む。保護ケース１０とカセットリール装置３は図示しないシールドベアリング等により軸受け結合されていてもよい。実施形態において、保護ケース１０はある程度の厚みを有する扁平中空箱からなり、芯受け１６が厚み方向に貫通するように取り付けられて一体化されている。芯受け１６は、有底中空筒体構造であり、図２で左端側が閉鎖端１６ｂとなる一方、開口側に後述する中空軸としての中空管体１４の内部１５と連通するように中空管体１４と結合する結合部１７を備えている。具体的には、芯受け１６の結合部は中空管体１４と連結して結合部１７を形成するものであり、芯受け１６の結合部１７は結合片部を有し、中空管体側の結合片部と着脱自在に連結される。すなわち、カセットリール装置３は、芯受け１６の結合部１７で中空管体１４と着脱自在に連結される。実施形態において、芯受け１６は、有底中空短円筒体から構成され、円筒形状の中空管体との連結状態で全体として１つの中空円筒管を形成する。保護ケース１０と芯受け１６によりカセットリール機構が形成される。芯受け１６は中空管体１４と係合した状態で中空管体と一体化し、中空管体の一部を成す。カセットリール装置３は中空管体と連結された状態で吸引カテーテル６を巻回収容した芯受け１６が中空管体１４とともに、一体回転する。その際、保護ケース１０と芯受け１６は空転し、芯受け及びそれに巻き取られるカテーテルのみが中空管体１４とともに回転する。なお、カセットリール装置３は中空管体を延長させた有底管体とし、その延長部分に着脱自在に外嵌させるようにしてもよい。
【００３７】
吸引カテーテル６の基端部は、短筒状の芯受け１６から半径方向に起立した基端パイプ１８に接続されるとともに、芯受け１６に多重巻回されて延長された吸引カテーテルの先端部分は保護ケース１０の外縁部に向けて取り付けられたガイド管２０内を挿通し筐体内の他のガイド管２１に案内されて外部に延長される。基端パイプ１８の基部は芯受け１６に穿孔された連通孔１２４を介して該芯受け１６の円筒内部に連通し常時吸引物の吸引経路を確保している。図２において、芯受け１６の連通孔１２４は、後述の回転式進退ノズルを進出させて他の連通孔１２６，１２８を閉鎖させた状態としても吸引カテーテル６内部と芯受け１６内部の連通が確保されるように形成されている。
【００３８】
芯受け１６にはさらに、保護ケース１０内におけるケースの内壁と巻回収容された吸引カテーテル６等の表面部分の洗浄機構が設けられている。芯受け１６には保護ケース１０内におけるケース内壁と巻回収容された吸引カテーテル６等との空隙２３に連通する連通孔１２６が穿孔されている。そして、閉鎖端側の閉鎖壁に回転式進退ノズル２８が設けられている。回転式進退ノズル２８を進退させて孔１２６を閉鎖した図２の状態で医療用吸引装置１を吸引使用し、非吸引時での空隙２３の洗浄時に回転式進退ノズル２８を後退して連通孔１２６を開き、巻回された吸引カテーテルの外側、つまり外周間の空隙２３と中空管体内部１５とを連通させ、この状態で例えばピストル型の筐体の先端部分を洗浄液に漬けた状態で吸引駆動させると、図４の可撓性管部７と吸引カテーテル６との隙間ｈ部分からも洗浄液を吸引し、筐体内ガイド管２１を通って保護ケース１０のガイド管２０の基端隙間部分から矢視ｑのように吸引力で噴き出され、空隙２３を通って巻回されたカテーテルの外周部分を洗浄しながら、連通孔１２６から中空管体内部１５を経由して吸引装置側に吸引される。なお、ｓ２、ｓ３は、芯受け１６と保護ケース１０とをシールするオーリング等のシール部材である。
【００３９】
保護ケース１０には、切り込みカット２６があり、筐体２への装着時に駆動ユニットへの接続を間違いなく、簡単にできるようになっている。筐体には保護ケース１０の外形に対応した形状の凹部等の位置決めが設けられており、筐体２にカセットリール装置３を装着した状態で、筐体２は動かないように設定される。
【００４０】
カセットリール機構の芯受け１６に巻き取られる吸引カテーテル６は、例えばシリコンゴムからなる、形状の定まらない管部材であり、例えば外径２ｍｍ〜６ｍｍ、長さ３０ｃｍ〜５０ｃｍ程度のサイズであり、図５に示すように先端部１９には先端孔と側孔があり、リール中に絡まないように多数回巻き込まれている。そして、ガイド管２０の先端部分２０ａは、カテーテル先端の気道に密着しない安全な構造となっている。ガイド管２０の先端部分２０ａは筐体内のガイド管２１の基部と着脱自在に連結するカップリング部を形成しており、カセットリール装置３の筐体２への着脱に伴って、自在にガイド管２１との連通、離脱を行なわせる。ガイド管２０から延長された吸引カテーテル６は、図１においてガイド管２１に案内されながら嘴管部２０４の先端に導かれ、さらに、可撓性管部７を貫通してその先端部分１９（図５参照）が進退駆動される。
【００４１】
図１，２において、接離手段４は、一端側が外部吸引装置３０に連通するとともに、他端側でカセットリール装置３を着脱自在に支承する中空管体１４を含む。接離手段４はカセットリール装置３の筐体２への着脱時にカセットリール装置３に収容された吸引カテーテル６を外部吸引装置３０に接続、離脱自在に接続させる手段であり、中空管体１４を介して外部吸引装置３０への痰等の液体の吸引排出ルートを確保し、さらに、中空管体１４を回転軸としてリールの着脱と、リールに巻装された吸引カテーテルの内部を外部吸引装置側に連通させる機能を同時に実現する。  
【００４２】
本実施形態において、中空管体１４は、両端を開口し、その一端側１４ａには芯受け１６と連結する、連結片部を有した連結部１７を備えている。連結部１７は芯受け１６と中空管体１４の一端側を着脱自在に連結し、それらの連結結合時に内外が漏れない水密構造で結合する。中空管体１４は、本実施形態のように、分割して芯受け１６と結合することにより一体化して機能させるものに限らず、中空管体を芯受け部分を含む長さまで延長した長さとし、保護ケース内に空転自在に設けた拡大された芯受け部材のカセットリール装置を外部装着させる構造としてもよい。
【００４３】
図１において、筐体２のグリップ部２０２の上部であって嘴管部２０４との接続部分にカセットリール装置３の着脱位置が設定されている。図２において、筐体２のグリップ部２０２の上部に中空管体１４が横方向を回転軸とし、軸受３２、３３を介して装置３のセット空間近傍に回転自在に軸支されている。中空管体１４の他端側１４ｂは、閉鎖空間２９に臨んで開口されている。また、シール部材ｓ１は筐体と中空管体の他端側とをシールし、閉鎖空間２９を形成している。カセットリール装置３は、筐体２に装着される際に凹凸部などの位置決め部２７を介して装着され、装着によりカテーテル内と中空管体内が連通を確保し得るようになっている。
【００４４】
図２において、閉鎖空間２９に一端を接続して外部吸引用配管３４が筐体内に設けられ、グリップ部の下端側に設けたクイックカップリング３６を介して外部吸引管３７に接続されている。外部吸引用配管３４に対して外部吸引管３７は、ワンタッチで脱着可能な取り付け構造で接続される。図６において、外部吸引管３７は小型吸引ポンプ３８を介して吸引瓶３９に連通接続されている。小型吸引ポンプ３８並びに吸引瓶３９を含む吸引装置を介して、吸引源から中空管体１４を通じて吸引カテーテル６内を負圧吸引する。
【００４５】
外部吸引用配管３４に接続した分岐管４０には調整弁４２が設けられ、指で吸引圧力を微調整するようになっている。調整弁４２は、吸引カテーテル６の吸引圧調整部を構成する。閉鎖空間２９には、外気と連通する主断路孔４４が設けられており、この主断路孔を開閉自在に進退する回転式進退ノズル４６が設けられている。吸引時にはノズル４６を操作して主断路孔を閉じて吸引作用を行い、装置１の非使用時にはカテーテル吸引動作をしないように、主断路孔４４を解放して外気に連通し、吸引ユニットの吸引システムから離脱させる。
【００４６】
図１，２において、駆動機構５は、カセットリール装置３を筐体２に装着した状態で吸引カテーテル６を巻き込み、繰り出し駆動させる駆動手段であり、内部に吸引経路を確保する中空管体１４に同軸に外嵌された回転体５０と、駆動モータ５２と、伝達装置５５と、を含む。
【００４７】
本実施形態において、回転体５０は、ウォームギヤ機構のはす歯歯車（ウォームホイール）からなり、駆動モータ５２に連結されたウォーム（ねじ歯車）５４と咬合して回転駆動力を伝達させる。
【００４８】
本実施形態において、バッテリー５６を接続した制御装置５８の指示により、制御装置５８に接続された正逆回転駆動モータ５２が指示された吸引カテーテル６の送り出し量に見合うぶんの回転量で回転駆動させる。なお、伝達装置５５は、ギヤ連結によらずベルト・プーリー連結、チェーン連結、ラック・ピニオン連結、その他の伝達機構を用いることができる。本発明の吸引カテーテル６の送り出し量は、移動距離が短いので小さな送り量であり、モータ回転量も小さく、回転速度も比較的に低速回転である。各箇所の水密保持用のシール部材はこれに耐えうる部材で構成されている。
【００４９】
回転体５０は伝達装置５５を介して直流モータ５２により駆動される。直流モータ５２の時計方向回転や反時計方向回転はモータコントローラと液晶表示制御部を含む制御装置８２により行われ、回転方向は操作部としてのレバー８、９により制御される。直流モータ５２は充放電可能なバッテリー又は乾電池で駆動される。バッテリーは電源端子５３から電力を供給、充電する。
【００５０】
図６において、本実施形態の医療用吸引装置１を用いたカテーテルシステム構成が示されており、電源６０に外部吸引装置３０の小型吸引ポンプ３８及びバッテリー５６が接続されて電力供給する。バッテリー５６は、乾電池でも充電可能二次電池でもよい。電源６０は、太陽電池及び３電源充電放電制御設備を有する太陽電池パネル５８とを組み合わせた充放電装置が用いられている。外部吸引管３７からの痰などの排液は吸引ポンプで吸引され吸引管３５を通って吸引瓶３９に蓄えられる。災害時の避難所などの電源の確保できないところでは、昼間に太陽電池パネル５８の出力を充放電装置に充電し、吸引器使用時に電力供給ケーブル６２を電源端子５３に繋ぎ利用する。また、充放電装置からの電力は小型吸引ポンプ３８にも供給される。停電が回復し、電源が確保された時には、商用電源端子が３電源充電放電装置に接続できる。
【００５１】
図１、図７において、筐体２には吸引カテーテルの繰り出し装置７０と、繰り出し長さ設定装置８０が設けられている。繰り出し装置７０は、駆動モータ５２と伝達装置５５と、中空管体１４からなり、制御装置から指示された値に対応して吸引カテーテル６の先端の繰り出し、巻き込み送出長さぶんを少なくとも繰り出させる。繰り出し長さ設定装置８０は、自動モード又は手動モードの選択設定、繰り出し・巻き戻し量の外部設定機能を有する制御装置８２と、設定する繰り出し量を指定する外部操作機能を有するディスプレイ装置８４と、を含む。繰り出し長さ設定装置８０の制御装置８２には吸引カテーテル先端の繰り出し送出長さを記録保持する記憶装置８６が接続されている。ディスプレイ装置に表示させながら吸引カテーテルの繰り出し、巻き戻し長さを、外部設定する。制御装置８２と操作部８、９は電気的に接続されており、操作部８、９の握りこみ操作により制御装置８２を介してカテーテル６の巻き込み、繰り出しを起動させる。
【００５２】
吸引カテーテル先端からの送出長さは、自動モードではデジタルディスプレイ上に長さを指定すると、電気モーター駆動装置の動作により、カテーテルの繰り出しが瞬時に自動に行え、また、手動モードでは、任意の長さに繰り出すことができ、繰り出し長さは、モータコントローラと制御装置８２の内部メモリ、あるいは記憶装置８６に記録保存される。設定した繰出し長さで繰出されるとディスプレイ装置にランプが点灯し操作者にカテーテルが目的の位置に到達したことを報知する。
【００５３】
次に、本実施形態の医療用吸引装置１の作用について説明すると、図１のカセットリール装置３を筐体２の位置決め部２７にビルドインする。この際、筐体２の一部を他部から離脱させて内部を開放した状態で吸引カテーテル内蔵のカセットリール装置３をワンタッチで筐体に着脱できる。看護者あるいは医療従事者等は、銃体形状のグリップ部２０２を片手で把持してレバー８，９を操作し、カテーテルの送出、停止、巻き取りによる筐体内への収納吸引カテーテル６の収納状態において、迅速に巻取り、繰り出し機能させる。この際、カテーテルの余長がなく、一部を垂らして周囲の物品等に接触することがない。レバー８，９の操作で駆動モータ５２を正逆回転起動させてカテーテルを前後進させることにより、滅菌吸引カテーテルの出し入れ操作を行なう。駆動モータ５２は、実施形態では始動が円滑で制御しやすい直流モータが用いられているが、駆動源は限定的なものではなく、交流モータその他の駆動源を用いることができる。また、筐体２には図示しない吸引ポンプ３８の起動用押しボタンスイッチが設けられており、吸引起動操作、調整弁４２による吸引圧孔操作等を例えば拇指操作により行う。銃体形状の医療用吸引装置１をグリップ部２０２で把持した状態で、カセットリール装置３を筐体に装着する操作は、いわばマガジンの装填のように自然な動作で行なうので、カテーテル内蔵カセットをワンタッチで装着でき、これによって、取り扱いが極めて簡単で熟練もいらず、吸引操作の簡易化を達成し得る。
【００５４】
外部吸引装置の吸引力を起動させると、装置１内の外部吸引用配管３４、閉鎖空間２９、中空管体１４内部、基端パイプ１８のルートを経由して吸引カテーテル６の先端に負圧吸引力が供給される。外部吸引用配管３４に接続する分岐管４０の調整弁４２により、適宜吸引力調整を行なう。
【００５５】
操作部８，９の操作で制御装置８２に起動信号が供給され、直流モータ５２が回転すると、伝達装置５５を介して回転体５０が回転し、同時に中空管体１４が回転する。中空管体１４に一体化して中空管体の一部を成す芯受け１６は中空管体１４と同じ回転数で同一方向に回転し、その際、該芯受け１６は、保護ケース１０に対して空転し、これによって吸引カテーテル６を繰り出しあるいは巻き込み駆動させる。
【００５６】
ガイド管２０から送出されたカテーテル先端部１９で吸引された痰や分泌物などは、中空管体１４の内側を通過して、閉鎖空間２９、外部吸引用配管３４を経て、外部へ排出される。カテーテルの粘膜吸着防止は、グリップごと動かし先端の位置を変える操作とグリップのレバーを微細に前後に動かすこと、並びにカテーテルの先端粘膜吸着防止形状の採用や側孔で対応する。また、気管内挿管チューブにカセット嘴管が吸着して管腔閉塞せぬように吸引嘴管を多角形にしてもよい。片手での吸引操作が簡便に行えるのみならず清潔操作が容易となり、結果として肺炎合併症が減少し、救命率の向上に資する。
【００５７】
医療用吸引装置１の非使用時には、回転式進退ノズル２８を後退して連通孔１２６を開き、筐体の嘴管部２０４の可撓性管部７近傍までカテーテルを縮めた状態で、そのまま洗浄液などに浸漬した状態で操作部を操作して外部吸引装置により負圧吸引する。これによって、カテーテルの内部だけでなく、洗浄液はそれぞれガイド管２１とカテーテルの外面との間、ガイド管２０とカテーテルの外面との間を経由し、図３の洗浄矢視のようにカテーテル外面と保護ケースとの空隙２３部分を洗浄しながら中空管体１４を経由して外部へ吸引排出される。
【００５８】
吸引カテーテル先端からの送出長さは、液晶表示によるディスプレイ装置により、自動モードではデジタルデイスプレイ上に長さを指定すると、駆動モータの動作により、カテーテルの繰り出しが瞬時に自動に行え、また、手動モードでは、任意の長さに繰り出すことができ、繰り出し長さは、制御装置のモータコントローラと液晶表示部制御部の内部メモリに記録保存できる。また、設定した駆動長さをカテーテルが繰出されたときに、光等により外部に報知される。
【００５９】
災害時の避難所などの電源の確保できないところでは、昼間に太陽電池パネル５８の出力を充放電装置５９に充電し、吸引装置使用時に電力供給ケーブル６２を繋ぎ利用する。また、充放電装置５９からの電力は吸引ポンプ３８にも供給される。停電が回復し、電源が確保された時には、商用電源端子が充放電装置５９に接続できる。
【００６０】
以上の通り、本発明の医療用吸引装置は、滅菌吸引カテーテル内蔵着脱式カセット構成であり、原則としてディスポーザブルであるが、特定の同一患者では吸引カテーテルを単回使用でなく、一定の極めて短時間内で医師の責任で判断して繰り返し複数回使用も容認され得る。その際、カセット内に吸引チューブを収納することにより、現在広く行われている長い吸引チューブを垂れ下がり露出したままで取り扱う方式よりも、はるかに感染防止面で優れ、同時に使い捨てられる吸引チューブ本数が減り、医療費節減にもつながると期待される。また、本発明により、今迄の吸引カテーテルがむき出しに露出していた時と比較して、吸引カテーテルの汚染対策が格段に進み、吸引カテーテル由来の細菌感染が激減する。その結果、治療期間の短縮、治癒率救命率の向上、新しい治療期間短縮プロトコ―ルの採用、入院期間の短縮、医療費の減少に寄与すると考えられる。また滅菌カテーテルがカセット内に隔離されているのでカセットは素手で触れられて取扱いが簡便になり、熟練を要せず、しかも吸引操作が手早く能率よく行えるようになる。手術室や病室など従来型の吸引システムが整備されている病院などでは、本発明の医療用吸引装置１を従来型の壁付吸引コンプレッサーか床置き吸引器の吸引管に連結して吸引を行うシステムとして用いることができる。また、本発明の医療用吸引装置１は、小型でカテーテルが保護され簡便で携帯性があり、小型３電源吸引器にも接続、太陽池電源設備を有する電源設備でも駆動されるので、電源確保の困難な緊急災害時の避難地域や発展途上国の医療にも貢献出来る。また、本発明の医療用吸引装置は、太陽電池パネルと充放電設備を備え、外部吸引装置と連結した、非常用の一体型カテーテル内蔵型医療用吸引装置として構成することができる。この場合、太陽池電電源を有する吸引装置で、電源確保の困難な緊急災害時の避難地域や発展途上国の医療にも利用できる独立型吸引装置として適用し得る。さらに、地震、台風、津波、大洪水、土石流、火山噴火など頻繁に起こる災害の現場では、停電、交通遮断、断水などのライフラインが途絶され、被災者の医療行為環境は劣悪な状況になり、感染症の拡大や緊急医療器具の不足や不動作が大きな課題となり、安心な電源設備の備わった前記吸入設備はこのような緊急災害現場での使用に威力を発揮する。
【産業上の利用可能性】
【００６１】
本発明の医療用吸引装置は、在宅医療、救急医療、手術治療、その他医療用の吸引が必要なすべての場面で適用することができる。
【符号の説明】
【００６２】
１  医療用吸引装置
２  筐体
２０２  グリップ部
２０４  嘴管部
３  カセットリール装置
４  接離手段
５  駆動機構
６  吸引カテーテル
７  可撓性管部
８，９  操作部
１４  中空管体
１６  芯受け
１７  結合部
１９  先端部
２３  保護ケース内の空隙
２９  閉鎖空間
３０  外部吸引装置
５０  回転体
５２  駆動モータ
５５  伝達装置
６０  電源
８０  繰り出し長さ設定装置
８２  制御装置
８４  ディスプレイ装置
１２４  連通孔
１２６  連通孔
【図１】
2013005907.tif 000003
【図２】
2013005907.tif 000004
【図３】
2013005907.tif 000005
【図４】
2013005907.tif 000006
【図５】
2013005907.tif 000007
【図６】
2013005907.tif 000008
【図７】
2013005907.tif 000009
【手続補正書】
【提出日】平成23年12月5日(2011.12.5)
【手続補正１】
【補正対象書類名】特許請求の範囲
【補正対象項目名】全文
【補正方法】変更
【補正の内容】
【特許請求の範囲】
【請求項１】
筐体と、
筐体に着脱自在に装着され吸引カテーテルを巻き込み、繰り出し自在に収容するカセットリール装置と、
カセットリール装置の筐体への着脱時にカセットリール装置に収容された吸引カテーテルを外部吸引装置に接離自在に接続させる接離手段と、
カセットリール装置を筐体に装着した状態で吸引カテーテルを巻き込み、繰り出し駆動させる駆動機構と、を含み、
接離手段は、一部が外部吸引装置に連通して吸引物を排出するとともに、他部がカセットリール装置を着脱自在に支承し、それに収容された吸引カテーテルに着脱自在に内部が連通する中空管体を含むことを特徴とする医療用吸引装置。
【請求項２】
中空管体が筐体内に回転自在に軸支され、
カセットリール装置は該中空管体に装着された状態で中空管体と一体回転するように設けられていることを特徴とする請求項１記載の医療用吸引装置。
【請求項３】
筐体は人が片手で把持できる大きさであり、
１つ又は複数の指により吸引カテーテルの巻き込み、繰り出し駆動のための操作を行なう操作部を有することを特徴とする請求項１又は２記載の医療用吸引装置。
【請求項４】
吸引カテーテルの吸引圧調整部を設けたことを特徴とする請求項１ないし３のいずれかに記載の医療用吸引装置。
【請求項５】
カセットリール装置には、吸引カテーテル中空内部と、吸引カテーテルと吸引カテーテルを収容する保護ケースとの間隙部分と、を洗浄消毒するための連通孔が設けられていることを特徴とする請求項１ないし４のいずれかに記載の医療用吸引装置。
【請求項６】
吸引カテーテル先端の繰り出し送出長さを指定すると所定の繰り出し量で繰り出す繰り出し装置と、
繰り出し長さをディスプレイ装置に表示させるとともにディスプレイ装置と連係して繰り出し量を外部設定する繰り出し長さ設定装置を有することを特徴とする請求項１ないし５のいずれかに記載の医療用吸引装置。
【請求項７】
吸引カテーテル先端の繰り出し送出長さを記録保持する記憶装置を有することを特徴とする請求項１ないし６のいずれかに記載の医療用吸引装置。
【請求項８】
筐体は、巻き込み、繰り出し駆動のための操作を行なう操作部を引き金状に操作する位置に配置させた銃体形状からなることを特徴とする請求項１ないし７のいずれかに記載の医療用吸引装置。
【請求項９】
筐体はグリップ部と嘴管部とからなる銃体形状であり、嘴管部の先端部分には、全周方向に可変可能な可撓性管部が設けられていることを特徴とする請求項８記載の医療用吸引装置。
【手続補正２】
【補正対象書類名】明細書
【補正対象項目名】全文
【補正方法】変更
【補正の内容】
【発明の詳細な説明】
【技術分野】
【０００１】
本発明は医療用吸引装置に関し、特に気管内吸引カテーテルによる気道内分泌物の吸引装置に関する。
【背景技術】
【０００２】
現在の医療現場で行われている気管内吸引処置は、シリコンラバー製吸引カテーテルを壁付、或いは床置き大型吸引器に連結し、長さが６０ｃｍの滅菌カテーテルが周りに触れて不潔にならないように注意しながら、カテーテル先端を消毒したピンセットか滅菌手袋を着用した手で誘導して行われている。この医療における基本的な吸引操作手技は、５０年以上前と比べて殆ど変っていない。手術室における挿管麻酔時の吸引カテーテルの取り扱いも、一度気道内吸引に使用後に酒精綿で清拭したのち、不潔にならないように消毒した容器に突っ込んだり、円筒形の容器の消毒薬中に浸けたり、長い吸引カテーテルを周りに触れないように麻酔器の端で宙にぶら下げたりして、可及的に清潔を保ち再使用に備える場合があり、麻酔医の判断で何回も再使用されることも多く、一回使用毎にカテーテルを新しいものと取り替えることは、残念なことではあるが、感染に弱い免疫不全の患者等の特別な症例以外ではあまり行われていないのが現状である。また、最も気管内吸引が頻回に行われている人工呼吸装置を装着中の患者が集められている集中治療室、救急治療室、ＩＣＵ，ＮＩＣＵ等では入院患者の肺炎は、気管内吸引操作時における吸引カテーテル汚染にその最も多くの原因があるとされている。
【０００３】
医療用吸引カテーテルの使用については、米国で２００３年度医療ケア関連肺炎防止のためのＣＤＣガイドライン（非特許文献１，２）が公表されており、原則としてカテーテルは一回の使用ごとに、新しいカテーテルと交換することを奨励している。しかしながら、現実においては、徹底した使い捨てには、あまりにも膨大な器材の消耗と経費が必要で実行されていないのが現状である。ちなみに、本邦の保険医療制度においては使用される吸引カテーテルはすべて基本的な医療行為料金に包含されており、カテーテルを何本用いても医療材料費として計上して請求することはできない。
【先行技術文献】
【非特許文献】
【０００４】
【非特許文献１】CDC（Centers for Disease Control andPrevention,アメリカ疾患予防センター）: Guidelines for PreventingHealth-Care-Associated Pneumonia.  MMWR2003;53(RR-3):1-36
【非特許文献２】矢野邦夫訳：医療ケア関連肺炎防止のためのＣＤＣガイドライン．メディカ出版。大阪  ２００４
【発明の概要】
【発明が解決しようとする課題】
【０００５】
人工呼吸装置等で長期間に渉る気管内挿管管理中の患者にとって、最も恐ろしい合併症は肺炎で、発症すると免疫力が低下した高齢者ではしばしば致命的となる。更に最近の院内感染では、多剤耐性菌、特にＭＲＳＡ（Methicillin resistant staphylococcus aureus），多剤耐性緑膿菌、ＶＲＥ(Vancomycin resistant enterococcus)等の抗生物質や抗菌剤が効かず、治療が極めて困難な菌種が増加してきている。これら薬が効かない細菌感染と戦う唯一最善の方法は感染予防以外にない。即ち、如何に感染を防ぐかは、その肺炎を惹起する最大の原因とされる気道内吸引カテーテルの汚染をいかに防ぐかに集約される。
【０００６】
ところが現在、広く医療分野で行われている気道内吸引時の無菌操作は、利き手に滅菌手袋をはめるかピンセット(攝子、セッシ)を持って、シリコンラバー製の滅菌吸引カテーテルの先端を把持し、他方の手で吸引管の基部を持って、露出しブラブラする長いカテーテルが周辺に触れて不潔にならないように注意しながらカテーテルの先端を患者の気管内挿管チューブや気管切開チューブ内に挿入し、それぞれのチューブ先端まで吸引カテーテルを進め（成人の気管内挿管で門歯列から約２２〜２４ｃｍ）、その部位でカテーテル先端を微妙に動かし、同時に拇指で圧調整孔を調整して粘膜への吸着を防ぎながら吸引を行っている。すなわち一人で行う時は両手を用い、その際、片手を離して気管チューブに吸引カテーテルを入れるために固定しようと持ち替えれば、長い吸引カテーテルは使用前でも気付かぬうちに周辺に触れて汚染し、感染の原因となる。手術の時の様にガウンテクニックで全身と周辺全てを消毒衣で被って汚染を防止している訳では無いので、吸引カテーテル汚染は日常茶飯に起こるのは当然のことと予測される。さらに、一度使用した吸引カテーテルは原則廃棄されるか再消毒されるべきであるが、現実には同一患者では医師の判断によって、一定の短時間以内に限っては、しばしば再使用されている。この間、使用中の吸引カテーテルは非使用時には消毒薬と生理的食塩水入りの容器等に入れたり、酒精消毒綿で付着した分泌物を拭い取ったりしている。この医療における基本的な気管内吸引操作手技に関しては、何も進歩や改善がないままに臨床で実践され、この一連のカテーテルの無菌操作、清潔管理、消毒等の程度、方法についてはすべて担当医の判断に任せられていることが多い。上記ＣＤＣの「医療ケア関連肺炎防止のためのガイドライン」では気管内吸引操作時の手指の消毒とカテーテルの無菌操作が最も重要とし、滅菌カテーテルの単回使用を勧告しているが、在宅医療のみならず近代的な大病院ですら、同一患者では経済的制約から同じカテーテルを短時間以内は繰り返し使用しているのが現状である。
【０００７】
また、緊急災害時での電源が確保出来ない処では、救急車装備の吸引器、手動或いは足踏み吸引器、大きい注射器にカテーテルを付けて強く引いて代用など、現在は極めて不十分な吸引器具しかない状況であり、災害避難所などでの医療行為の大きな支障になっている。
【０００８】
本発明は上記従来の課題に鑑みてなされたものであり、その一つの目的は、吸引カテーテルの気管チューブへの挿入操作時にカテーテルの余長部分をなくし、周囲の施設や物品への接触による汚染をなくし、カテーテルを原因とする感染を確実に防止させることができる医療用吸引装置を提供することにある。また、本発明の他の目的は、カテーテルの交換操作を簡単にし得るとともに、その洗浄、消毒を簡易に行なえる医療用吸引装置を提供することにある。また、本発明の他の目的は、例えば医師や看護師が片手のみで使用でき、他の手を自身や患者の支持、医療行為自体に向けて自由に使用できるようにしてカテーテルの物品等への接触防止とともに、カテーテルの先端部の動きなどを確実に制御することができる医療用吸引装置を提供することにある。
【課題を解決するための手段】
【０００９】
上記課題を解決するために本発明は、筐体２と、筐体２に着脱自在に装着され吸引カテーテル６を巻き込み、繰り出し自在に収容するカセットリール装置３と、カセットリール装置３の筐体への着脱時にカセットリール装置３に収容された吸引カテーテル６を外部吸引装置３０に接離自在に接続させる接離手段４と、カセットリール装置３を筐体２に装着した状態で吸引カテーテル６を巻き込み、繰り出し駆動させる駆動機構５と、を含み、接離手段４は、一部１４ｂが外部吸引装置３０に連通して負圧吸引を生じさせるとともに、他部１４ａがカセットリール装置３を着脱自在に支承し、それに収容された吸引カテーテル６に着脱自在に内部６ａが連通する中空管体１４を含むことを特徴とする医療用吸引装置１から構成される。本発明は気管内吸引カテーテルを滅菌カセット、すなわちカセットリール装置内に収納して、吸引時にのみカセットから電動力で繰出して使用し、通常はカセット内にあって汚染より保護し、カテーテル汚染が原因とされる肺炎などの感染症を予防することで救命率の改善に寄与する医療用吸引装置である。本装置は、滅菌したカセットリール装置内に、ゴム質等で曲がりやすく無定形の吸引カテーテルを常時収納し、使用時にのみカセットリール装置から電動力で繰出し使用される。カセットリール装置はワンタッチで筐体に着脱でき、無菌管理と操作性に優れ、全操作が片手で可能となる。医療用吸引装置は、小型３電源吸引器にも接続され、吸引カテーテルの自由自在駆動、簡易化、携帯性向上、感染防御をもたらすことができる。カセットリール装置のデザイン、収納する吸引カテーテルの長さや径は用途により多種類を準備し色で区分するとよい。筐体へのカセットリール装置の装着部分は統一規格とし、どのカセットリール装置でも装着可能とし、麻酔テーブルからの落下防止用の壁掛け用ストライプとフックを付けるようにするとよい。カセットリール装置の保護ケースの素材は透明で内部の汚染や閉塞状況を透見できるものがよい。中空管体１４はカセットリール装置３のリール芯部分と中空管体本体を分割、結合構成としても良いし、１つの中空管体に吸引カテーテルを巻き込むリールを中空管体の軸方向から挿入して外嵌させるようにしてもよい。
【００１０】
また、中空管体１４が筐体２内に回転自在に軸支され、カセットリール装置３は該中空管体１４に装着された状態で中空管体と一体回転するように設けられるとよい。
【００１１】
また、筐体２は人が片手で把持できる大きさであり、１つ又は複数の指により吸引カテーテル６の巻き込み、繰り出し駆動のための操作を行なう操作部８，９を有するようにしてもよい。
【００１２】
また、吸引カテーテル６の吸引圧調整部４２を設けるとよい。
【００１３】
また、カセットリール装置３には、吸引カテーテル６中空内部６ａと、吸引カテーテルと吸引カテーテルを収容する保護ケース１０との間隙部分２３と、を洗浄消毒するための連通孔１２６が設けられるとなおよい。
【００１４】
また、吸引カテーテル先端の繰り出し送出長さを指定すると所定の繰り出し量で繰り出す繰り出し装置７０と、繰り出し長さをディスプレイ装置８４に表示させるとともにディスプレイ装置と連係して繰り出し量を外部設定する繰り出し長さ設定装置８２を有するようにするとよい。
【００１５】
また、吸引カテーテル先端の繰り出し送出長さを記録保持する記憶装置８６を有するとよい。
【００１６】
さらに、筐体２は、巻き込み、繰り出し駆動のための操作を行なう操作部８，９を引き金状に操作する位置に配置させた銃体形状で形成するとよい。
【００１７】
また、筐体２はグリップ部２０２と嘴管部２０４とからなる銃体形状であり、嘴管部２０４の先端部分には、全周方向に可変可能な可撓性管部７が設けられているとよい。カセットリール装置からの吸引カテーテルの出し入れは、吸引カテーテルの長さが短い気管切開用のものは手動レバー連動、長いものでは電気モータ駆動装置とするとよい。銃体形状の筐体の嘴管部は全方向に可変可能構造とし、吸引チューブの出る方向をあらかじめコントロール可能としておくとよい。例えば、術中の多くは患者の頭側から、気管切開患者では足側の側方からアプローチして吸引操作をするので、頭側からの吸引操作の場合は上方へ６０度、側方からの吸引操作の場合は斜め下方向へ６０度ほど嘴管が曲がっているものが使いやすい。
【発明の効果】
【００１８】
本発明の医療用吸引装置によれば、筐体と、筐体に着脱自在に装着され吸引カテーテルを巻き込み、繰り出し自在に収容するカセットリール装置と、カセットリール装置の筐体への着脱時にカセットリール装置に収容された吸引カテーテルを外部吸引装置に接離自在に接続させる接離手段と、カセットリール装置を筐体に装着した状態で吸引カテーテルを巻き込み、繰り出し駆動させる駆動機構と、を含む構成であるから、吸引カテーテルの気管チューブからの挿入操作時にカテーテルの余長部分をなくし、周囲の施設や物品への接触をなくしてカテーテルを原因とする感染を確実に防止させることができる。また、カテーテル自体はカセットリール装置に巻き取らせた状態で脱着するから、カテーテルの交換操作が簡単で看護者等が煩わしさを感じることなく使用後のカテーテル交換を促進させ得る。さらに、片手のみの使用により他の手を自身や患者の支持、医療行為自体に向けて使用できるので、カテーテルの物品等への接触防止とともに、カテーテルの先端部の動きなどを確実に制御して精度の高い医療行為を施すことができる。結果として清潔操作が容易となり、肺炎合併症が減少し、救命率の向上に資する。
【００１９】
また、接離手段は、一部が外部吸引装置に連通して吸引物を排出するとともに、他部がカセットリール装置を着脱自在に支承し、それに収容された吸引カテーテルに着脱自在に内部が連通する中空管体を含む構成であるから、中空管体をリールの回転軸とし、中空管体の内部をリールに巻装された吸引カテーテルとの連通吸引経路とし、さらに中空管体を介してリール機構を有するカセットリール装置の着脱機構とした多機能構成で構造を簡素化し、低コスト化を図れる。
【００２０】
また、中空管体が筐体内に回転自在に軸支され、カセットリール装置は該中空管体に装着された状態で中空管体と一体回転するように設けられた構成とすることにより、吸引経路を確保しながらリール機構の回転による吸引カテーテルの繰り出し、巻取り駆動構成を同時に実現し、吸引機構と、駆動機構を含む全体構造の簡素化を実現し得る。
【００２１】
また、筐体は人が片手で把持できる大きさであり、１つ又は複数の指により吸引カテーテルの巻き込み、繰り出し駆動のための操作を行なう操作部を有する構成であるから、片手の操作のみで微妙なカテーテルの進退移動を制御でき、正確なカテーテルの気管チューブ内への挿入と目的点への到達、吸引操作を行なうことができ、あわせて、カテーテルの周囲物品への接触防止の留意を徹底することができる。
【００２２】
また、吸引カテーテルの吸引圧調整部を設けた構成とすることにより、駆動機構による吸引カテーテルの精密な機械的駆動とともに、吸引圧調整により適正に患者への吸引医療行為を行なうことができる。
【００２３】
また、カセットリール装置には、吸引カテーテル中空内部と、吸引カテーテルと吸引カテーテルを収容する保護ケースとの間隙部分と、を洗浄消毒するための連通孔が設けられた構成であるから、同一人の再使用などの際のカセットリール装置の洗浄、消毒の完全を期すことができる。
【００２４】
また、吸引カテーテル先端の繰り出し送出長さを指定すると所定の繰り出し量で繰り出す繰り出し装置と、繰り出し長さをディスプレイ装置に表示させるとともにディスプレイ装置と連係して繰り出し量を外部設定可能な繰り出し長さ設定装置を有する構成であるから、カテーテルの繰出し送出長さを予め設定して気管挿入チューブ内での目的位置まで迅速に送出し、さらに微妙な先端位置調整を行なうようにできるから、吸引カテーテル挿入操作時間を短縮でき、患者への負担も軽減させることができる。
【００２５】
また、吸引カテーテル先端の繰り出し送出長さを記録保持する記憶装置を有する構成とすることにより、再度の吸引操作時などに到達点に早くカテーテルを送出させることができる。
【００２６】
また、筐体は、巻き込み、繰り出し駆動のための操作を行なう操作部を引き金状に操作する位置に配置させた銃体形状からなる構成であるから、グリップ部とカテーテル送出のためのバレル部分による案内構成を利用して、操作性のよい装置を実現し得る。
【００２７】
また、筐体はグリップ部と嘴管部とからなる銃体形状であり、嘴管部の先端部分には、全周方向に可変可能な可撓性管部が設けられている構成とすることにより、気管切開患者と非切開患者のように、気管挿入チューブの取付角度が異なる場合に対応して嘴管部先端からのカテーテルの伸長角度を設定し、患者に無理がかからない状態で吸引行為を行なうことができる。
【図面の簡単な説明】
【００２８】
【図１】本発明の実施形態に係る医療用吸引装置に装着されるカセットリール装置の概略構成を同時に示した医療用吸引装置の片面カバーを取り外した正面図である。
【図２】図１の医療用吸引装置の縦断面図である。
【図３】図１のカセットリール装置の概略拡大断面図である。
【図４】筐体の嘴管部先端部分の一部省略拡大断面説明図である。
【図５】カセットリール装置に収容されるカテーテルの先端部分の一部省略拡大説明図である。
【図６】図１の医療用吸引装置を用いたカテーテル吸引システムの構成説明図である。
【図７】図１の医療用吸引装置のディスプレイ装置と制御部分との電気的接続関係を示すブロック説明図である。
【発明を実施するための形態】
【００２９】
以下に本発明を実施するための形態を具体的に図面を参照して説明する。本発明は、減菌吸引カテーテルを患者の気管内に送出する医療用吸引装置に関するものであり、この医療用吸引装置は、一般には患者の口腔鼻腔に挿入された気管チューブに沿って挿入される。
【００３０】
図１ないし図７は、本発明の実施形態に係る医療用吸引装置１を示しており、図１において、医療用吸引装置１は、筐体２と、カセットリール装置３と、外部吸引装置との接離手段４と、駆動機構５と、を含む。
【００３１】
筐体２は、カテーテル６を収容したカセットリール装置３、駆動機構５、外部吸引装置に接続される外部吸引管等を内部に収容する保護ケースであり、例えば片手で把持し得る程度の大きさのケース体であるのが好ましい。具体的な形状、大きさは問われないが、特に、本実施形態では片手の手及び指で確実に把持し得る銃体形状で形成されている。すなわち、実施形態において、筐体２は、グリップ部２０２と嘴管部２０４とを含む銃体からなり、嘴管部２０４の先端部分には全周方向に自在に変向しその状態を保持する可撓性管部（フレキシブル管部）７が取り付けられている。可撓性管部７の先端からカテーテルが繰り出されながら伸長駆動される。可撓性管部７は、患者に装着されている挿管チューブのチムニーピースに挿入可能な小さめのサイズとし連結はしない。
【００３２】
筐体２のグリップ部２０２には、握った際引き金状に操作する位置に操作部８、９が設けられている。操作部８、９は、カテーテル６の巻き込み、繰り出し駆動のための操作を行なうものであり、グリップ部内に配置したコントローラ（制御装置）と電気的に接続されている。
【００３３】
図４において、嘴管部２０４の先端部分の可撓性管部７の内部を挿通して吸引カテーテル６の先端側が伸長、縮長自体に案内されながら移動する。可撓性管部７の内径側と吸引カテーテル６との外周側との間には小さな隙間ｈが形成されており、洗浄時にはこの隙間からも矢視のように洗浄液を吸い込み、ガイド管２１，２０を経由して矢視ｑのように吸い出され、保護ケース１０内のカテーテル間隙等を洗浄する。なお、この部分は、カテーテルの進退移動時に隙間ｈを閉鎖し、洗浄時に開放する機構を設けるとなおよい。なお、カテーテル６からは痰等の吸引物が吸引される。
【００３４】
図１，３において、カセットリール装置３は、筐体２に着脱自在に装着されるカテーテル収容手段であり、特に、筐体への着脱装着と、カテーテルの巻き込み繰り出し機能と、を同時に有する。
【００３５】
図３において、カセットリール装置３は、保護ケース１０と、保護ケース内において保護ケースに空回り自在に設けられた芯受け１６と、芯受け１６に多重に巻回されて巻き取られる吸引カテーテル６と、を含む。保護ケース１０とカセットリール装置３は図示しないシールドベアリング等により軸受け結合されていてもよい。実施形態において、保護ケース１０はある程度の厚みを有する扁平中空箱からなり、芯受け１６が厚み方向に貫通するように取り付けられて一体化されている。芯受け１６は、有底中空筒体構造であり、図２で左端側が閉鎖端１６ｂとなる一方、開口側に後述する中空軸としての中空管体１４の内部１５と連通するように中空管体１４と結合する結合部１７を備えている。具体的には、芯受け１６の結合部は中空管体１４と連結して結合部１７を形成するものであり、芯受け１６の結合部１７は結合片部を有し、中空管体側の結合片部と着脱自在に連結される。すなわち、カセットリール装置３は、芯受け１６の結合部１７で中空管体１４と着脱自在に連結される。実施形態において、芯受け１６は、有底中空短円筒体から構成され、円筒形状の中空管体との連結状態で全体として１つの中空円筒管を形成する。保護ケース１０と芯受け１６によりカセットリール機構が形成される。芯受け１６は中空管体１４と係合した状態で中空管体と一体化し、中空管体の一部を成す。カセットリール装置３は中空管体と連結された状態で吸引カテーテル６を巻回収容した芯受け１６が中空管体１４とともに、一体回転する。その際、保護ケース１０と芯受け１６は空転し、芯受け及びそれに巻き取られるカテーテルのみが中空管体１４とともに回転する。なお、カセットリール装置３は中空管体を延長させた有底管体とし、その延長部分に着脱自在に外嵌させるようにしてもよい。
【００３６】
吸引カテーテル６の基端部は、短筒状の芯受け１６から半径方向に起立した基端パイプ１８に接続されるとともに、芯受け１６に多重巻回されて延長された吸引カテーテルの先端部分は保護ケース１０の外縁部に向けて取り付けられたガイド管２０内を挿通し筐体内の他のガイド管２１に案内されて外部に延長される。基端パイプ１８の基部は芯受け１６に穿孔された連通孔１２４を介して該芯受け１６の円筒内部に連通し常時吸引物の吸引経路を確保している。図２において、芯受け１６の連通孔１２４は、後述の回転式進退ノズルを進出させて他の連通孔１２６を閉鎖させた状態としても吸引カテーテル６内部と芯受け１６内部の連通が確保されるように形成されている。
【００３７】
芯受け１６にはさらに、保護ケース１０内におけるケースの内壁と巻回収容された吸引カテーテル６等の表面部分の洗浄機構が設けられている。芯受け１６には保護ケース１０内におけるケース内壁と巻回収容された吸引カテーテル６等との空隙２３に連通する連通孔１２６が穿孔されている。そして、閉鎖端側の閉鎖壁に回転式進退ノズル２８が設けられている。回転式進退ノズル２８を進退させて孔１２６を閉鎖した図２の状態で医療用吸引装置１を吸引使用し、非吸引時での空隙２３の洗浄時に回転式進退ノズル２８を後退して連通孔１２６を開き、巻回された吸引カテーテルの外側、つまり外周間の空隙２３と中空管体内部１５とを連通させ、この状態で例えばピストル型の筐体の先端部分を洗浄液に漬けた状態で吸引駆動させると、図４の可撓性管部７と吸引カテーテル６との隙間ｈ部分からも洗浄液を吸引し、筐体内ガイド管２１を通って保護ケース１０のガイド管２０の基端隙間部分から矢視ｑのように吸引力で噴き出され、空隙２３を通って巻回されたカテーテルの外周部分を洗浄しながら、連通孔１２６から中空管体内部１５を経由して吸引装置側に吸引される。なお、ｓ２、ｓ３は、芯受け１６と保護ケース１０とをシールするオーリング等のシール部材である。
【００３８】
保護ケース１０には、切り込みカット２６があり、筐体２への装着時に駆動ユニットへの接続を間違いなく、簡単にできるようになっている。筐体には保護ケース１０の外形に対応した形状の凹部等の位置決めが設けられており、筐体２にカセットリール装置３を装着した状態で、筐体２は動かないように設定される。
【００３９】
カセットリール機構の芯受け１６に巻き取られる吸引カテーテル６は、例えばシリコンゴムからなる、形状の定まらない管部材であり、例えば外径２ｍｍ〜６ｍｍ、長さ３０ｃｍ〜５０ｃｍ程度のサイズであり、図５に示すように先端部１９には先端孔と側孔があり、リール中に絡まないように多数回巻き込まれている。そして、ガイド管２０の先端部分２０ａは、カテーテル先端の気道に密着しない安全な構造となっている。ガイド管２０の先端部分２０ａは筐体内のガイド管２１の基部と着脱自在に連結するカップリング部を形成しており、カセットリール装置３の筐体２への着脱に伴って、自在にガイド管２１との連通、離脱を行なわせる。ガイド管２０から延長された吸引カテーテル６は、図１においてガイド管２１に案内されながら嘴管部２０４の先端に導かれ、さらに、可撓性管部７を貫通してその先端部分１９（図５参照）が進退駆動される。
【００４０】
図１，２において、接離手段４は、一端側が外部吸引装置３０に連通するとともに、他端側でカセットリール装置３を着脱自在に支承する中空管体１４を含む。接離手段４はカセットリール装置３の筐体２への着脱時にカセットリール装置３に収容された吸引カテーテル６を外部吸引装置３０に接続、離脱自在に接続させる手段であり、中空管体１４を介して外部吸引装置３０への痰等の液体の吸引排出ルートを確保し、さらに、中空管体１４を回転軸としてリールの着脱と、リールに巻装された吸引カテーテルの内部を外部吸引装置側に連通させる機能を同時に実現する。
【００４１】
本実施形態において、中空管体１４は、両端を開口し、その一端側１４ａには芯受け１６と連結する、連結片部を有した連結部１７を備えている。連結部１７は芯受け１６と中空管体１４の一端側を着脱自在に連結し、それらの連結結合時に内外が漏れない水密構造で結合する。中空管体１４は、本実施形態のように、分割して芯受け１６と結合することにより一体化して機能させるものに限らず、中空管体を芯受け部分を含む長さまで延長した長さとし、保護ケース内に空転自在に設けた拡大された芯受け部材のカセットリール装置を外部装着させる構造としてもよい。
【００４２】
図１において、筐体２のグリップ部２０２の上部であって嘴管部２０４との接続部分にカセットリール装置３の着脱位置が設定されている。図２において、筐体２のグリップ部２０２の上部に中空管体１４が横方向を回転軸とし、軸受３２、３３を介して装置３のセット空間近傍に回転自在に軸支されている。中空管体１４の他端側１４ｂは、閉鎖空間２９に臨んで開口されている。また、シール部材ｓ１は筐体と中空管体の他端側とをシールし、閉鎖空間２９を形成している。カセットリール装置３は、筐体２に装着される際に凹凸部などの位置決め部２７を介して装着され、装着によりカテーテル内と中空管体内が連通を確保し得るようになっている。
【００４３】
図２において、閉鎖空間２９に一端を接続して外部吸引用配管３４が筐体内に設けられ、グリップ部の下端側に設けたクイックカップリング３６を介して外部吸引管３７に接続されている。外部吸引用配管３４に対して外部吸引管３７は、ワンタッチで脱着可能な取り付け構造で接続される。図６において、外部吸引管３７は小型吸引ポンプ３８を介して吸引瓶３９に連通接続されている。小型吸引ポンプ３８並びに吸引瓶３９を含む吸引装置を介して、吸引源から中空管体１４を通じて吸引カテーテル６内を負圧吸引する。
【００４４】
外部吸引用配管３４に接続した分岐管４０には調整弁４２が設けられ、指で吸引圧力を微調整するようになっている。調整弁４２は、吸引カテーテル６の吸引圧調整部を構成する。閉鎖空間２９には、外気と連通する主断路孔４４が設けられており、この主断路孔を開閉自在に進退する回転式進退ノズル４６が設けられている。吸引時にはノズル４６を操作して主断路孔を閉じて吸引作用を行い、装置１の非使用時にはカテーテル吸引動作をしないように、主断路孔４４を解放して外気に連通し、吸引ユニットの吸引システムから離脱させる。
【００４５】
図１，２において、駆動機構５は、カセットリール装置３を筐体２に装着した状態で吸引カテーテル６を巻き込み、繰り出し駆動させる駆動手段であり、内部に吸引経路を確保する中空管体１４に同軸に外嵌された回転体５０と、駆動モータ５２と、伝達装置５５と、を含む。
【００４６】
本実施形態において、回転体５０は、ウォームギヤ機構のはす歯歯車（ウォームホイール）からなり、駆動モータ５２に連結されたウォーム（ねじ歯車）５４と咬合して回転駆動力を伝達させる。
【００４７】
本実施形態において、バッテリー５６を接続した制御装置８２の指示により、制御装置８２に接続された正逆回転駆動モータ５２が指示された吸引カテーテル６の送り出し量に見合うぶんの回転量で回転駆動させる。なお、伝達装置５５は、ギヤ連結によらずベルト・プーリー連結、チェーン連結、ラック・ピニオン連結、その他の伝達機構を用いることができる。本発明の吸引カテーテル６の送り出し量は、移動距離が短いので小さな送り量であり、モータ回転量も小さく、回転速度も比較的に低速回転である。各箇所の水密保持用のシール部材はこれに耐えうる部材で構成されている。
【００４８】
回転体５０は伝達装置５５を介して直流モータ５２により駆動される。直流モータ５２の時計方向回転や反時計方向回転はモータコントローラと液晶表示制御部を含む制御装置８２により行われ、回転方向は操作部としてのレバー８、９により制御される。直流モータ５２は充放電可能なバッテリー又は乾電池で駆動される。バッテリーは電源端子５３から電力を供給、充電する。
【００４９】
図６において、本実施形態の医療用吸引装置１を用いたカテーテルシステム構成が示されており、電源６０に外部吸引装置３０の小型吸引ポンプ３８及びバッテリー５６が接続されて電力供給する。バッテリー５６は、乾電池でも充電可能二次電池でもよい。電源６０は、太陽電池及び３電源充電放電制御設備を有する太陽電池パネル５８とを組み合わせた充放電装置が用いられている。外部吸引管３７からの痰などの排液は吸引ポンプで吸引され吸引管３５を通って吸引瓶３９に蓄えられる。災害時の避難所などの電源の確保できないところでは、昼間に太陽電池パネル５８の出力を充放電装置に充電し、吸引器使用時に電力供給ケーブル６２を電源端子５３に繋ぎ利用する。また、充放電装置からの電力は小型吸引ポンプ３８にも供給される。停電が回復し、電源が確保された時には、商用電源端子が３電源充電放電装置に接続できる。
【００５０】
図１、図７において、筐体２には吸引カテーテルの繰り出し装置７０と、繰り出し長さ設定装置８０が設けられている。繰り出し装置７０は、駆動モータ５２と伝達装置５５と、中空管体１４からなり、制御装置から指示された値に対応して吸引カテーテル６の先端の繰り出し、巻き込み送出長さぶんを少なくとも繰り出させる。繰り出し長さ設定装置８０は、自動モード又は手動モードの選択設定、繰り出し・巻き戻し量の外部設定機能を有する制御装置８２と、設定する繰り出し量を指定する外部操作機能を有するディスプレイ装置８４と、を含む。繰り出し長さ設定装置８０の制御装置８２には吸引カテーテル先端の繰り出し送出長さを記録保持する記憶装置８６が接続されている。ディスプレイ装置に表示させながら吸引カテーテルの繰り出し、巻き戻し長さを、外部設定する。制御装置８２と操作部８、９は電気的に接続されており、操作部８、９の握りこみ操作により制御装置８２を介してカテーテル６の巻き込み、繰り出しを起動させる。
【００５１】
吸引カテーテル先端からの送出長さは、自動モードではデジタルディスプレイ上に長さを指定すると、電気モーター駆動装置の動作により、カテーテルの繰り出しが瞬時に自動に行え、また、手動モードでは、任意の長さに繰り出すことができ、繰り出し長さは、モータコントローラと制御装置８２の内部メモリ、あるいは記憶装置８６に記録保存される。設定した繰出し長さで繰出されるとディスプレイ装置にランプが点灯し操作者にカテーテルが目的の位置に到達したことを報知する。
【００５２】
次に、本実施形態の医療用吸引装置１の作用について説明すると、図１のカセットリール装置３を筐体２の位置決め部２７にビルドインする。この際、筐体２の一部を他部から離脱させて内部を開放した状態で吸引カテーテル内蔵のカセットリール装置３をワンタッチで筐体に着脱できる。看護者あるいは医療従事者等は、銃体形状のグリップ部２０２を片手で把持してレバー８，９を操作し、カテーテルの送出、停止、巻き取りによる筐体内への収納吸引カテーテル６の収納状態において、迅速に巻取り、繰り出し機能させる。この際、カテーテルの余長がなく、一部を垂らして周囲の物品等に接触することがない。レバー８，９の操作で駆動モータ５２を正逆回転起動させてカテーテルを前後進させることにより、滅菌吸引カテーテルの出し入れ操作を行なう。駆動モータ５２は、実施形態では始動が円滑で制御しやすい直流モータが用いられているが、駆動源は限定的なものではなく、交流モータその他の駆動源を用いることができる。また、筐体２には図示しない吸引ポンプ３８の起動用押しボタンスイッチが設けられており、吸引起動操作、調整弁４２による吸引圧孔操作等を例えば拇指操作により行う。銃体形状の医療用吸引装置１をグリップ部２０２で把持した状態で、カセットリール装置３を筐体に装着する操作は、いわばマガジンの装填のように自然な動作で行なうので、カテーテル内蔵カセットをワンタッチで装着でき、これによって、取り扱いが極めて簡単で熟練もいらず、吸引操作の簡易化を達成し得る。
【００５３】
外部吸引装置の吸引力を起動させると、装置１内の外部吸引用配管３４、閉鎖空間２９、中空管体１４内部、基端パイプ１８のルートを経由して吸引カテーテル６の先端に負圧吸引力が供給される。外部吸引用配管３４に接続する分岐管４０の調整弁４２により、適宜吸引力調整を行なう。
【００５４】
操作部８，９の操作で制御装置８２に起動信号が供給され、直流モータ５２が回転すると、伝達装置５５を介して回転体５０が回転し、同時に中空管体１４が回転する。中空管体１４に一体化して中空管体の一部を成す芯受け１６は中空管体１４と同じ回転数で同一方向に回転し、その際、該芯受け１６は、保護ケース１０に対して空転し、これによって吸引カテーテル６を繰り出しあるいは巻き込み駆動させる。
【００５５】
ガイド管２０から送出されたカテーテル先端部１９で吸引された痰や分泌物などは、中空管体１４の内側を通過して、閉鎖空間２９、外部吸引用配管３４を経て、外部へ排出される。カテーテルの粘膜吸着防止は、グリップごと動かし先端の位置を変える操作とグリップのレバーを微細に前後に動かすこと、並びにカテーテルの先端粘膜吸着防止形状の採用や側孔で対応する。また、気管内挿管チューブにカセット嘴管が吸着して管腔閉塞せぬように吸引嘴管を多角形にしてもよい。片手での吸引操作が簡便に行えるのみならず清潔操作が容易となり、結果として肺炎合併症が減少し、救命率の向上に資する。
【００５６】
医療用吸引装置１の非使用時には、回転式進退ノズル２８を後退して連通孔１２６を開き、筐体の嘴管部２０４の可撓性管部７近傍までカテーテルを縮めた状態で、そのまま洗浄液などに浸漬した状態で操作部を操作して外部吸引装置により負圧吸引する。これによって、カテーテルの内部だけでなく、洗浄液はそれぞれガイド管２１とカテーテルの外面との間、ガイド管２０とカテーテルの外面との間を経由し、図３の洗浄矢視のようにカテーテル外面と保護ケースとの空隙２３部分を洗浄しながら中空管体１４を経由して外部へ吸引排出される。
【００５７】
吸引カテーテル先端からの送出長さは、液晶表示によるディスプレイ装置により、自動モードではデジタルデイスプレイ上に長さを指定すると、駆動モータの動作により、カテーテルの繰り出しが瞬時に自動に行え、また、手動モードでは、任意の長さに繰り出すことができ、繰り出し長さは、制御装置のモータコントローラと液晶表示部制御部の内部メモリに記録保存できる。また、設定した駆動長さをカテーテルが繰出されたときに、光等により外部に報知される。
【００５８】
災害時の避難所などの電源の確保できないところでは、昼間に太陽電池パネル５８の出力を充放電装置５９に充電し、吸引装置使用時に電力供給ケーブル６２を繋ぎ利用する。また、充放電装置５９からの電力は吸引ポンプ３８にも供給される。停電が回復し、電源が確保された時には、商用電源端子が充放電装置５９に接続できる。
【００５９】
以上の通り、本発明の医療用吸引装置は、滅菌吸引カテーテル内蔵着脱式カセット構成であり、原則としてディスポーザブルであるが、特定の同一患者では吸引カテーテルを単回使用でなく、一定の極めて短時間内で医師の責任で判断して繰り返し複数回使用も容認され得る。その際、カセット内に吸引チューブを収納することにより、現在広く行われている長い吸引チューブを垂れ下がり露出したままで取り扱う方式よりも、はるかに感染防止面で優れ、同時に使い捨てられる吸引チューブ本数が減り、医療費節減にもつながると期待される。また、本発明により、今迄の吸引カテーテルがむき出しに露出していた時と比較して、吸引カテーテルの汚染対策が格段に進み、吸引カテーテル由来の細菌感染が激減する。その結果、治療期間の短縮、治癒率救命率の向上、新しい治療期間短縮プロトコ―ルの採用、入院期間の短縮、医療費の減少に寄与すると考えられる。また滅菌カテーテルがカセット内に隔離されているのでカセットは素手で触れられて取扱いが簡便になり、熟練を要せず、しかも吸引操作が手早く能率よく行えるようになる。手術室や病室など従来型の吸引システムが整備されている病院などでは、本発明の医療用吸引装置１を従来型の壁付吸引コンプレッサーか床置き吸引器の吸引管に連結して吸引を行うシステムとして用いることができる。また、本発明の医療用吸引装置１は、小型でカテーテルが保護され簡便で携帯性があり、小型３電源吸引器にも接続、太陽池電源設備を有する電源設備でも駆動されるので、電源確保の困難な緊急災害時の避難地域や発展途上国の医療にも貢献出来る。また、本発明の医療用吸引装置は、太陽電池パネルと充放電設備を備え、外部吸引装置と連結した、非常用の一体型カテーテル内蔵型医療用吸引装置として構成することができる。この場合、太陽池電電源を有する吸引装置で、電源確保の困難な緊急災害時の避難地域や発展途上国の医療にも利用できる独立型吸引装置として適用し得る。さらに、地震、台風、津波、大洪水、土石流、火山噴火など頻繁に起こる災害の現場では、停電、交通遮断、断水などのライフラインが途絶され、被災者の医療行為環境は劣悪な状況になり、感染症の拡大や緊急医療器具の不足や不動作が大きな課題となり、安心な電源設備の備わった前記吸入設備はこのような緊急災害現場での使用に威力を発揮する。
【産業上の利用可能性】
【００６０】
本発明の医療用吸引装置は、在宅医療、救急医療、手術治療、その他医療用の吸引が必要なすべての場面で適用することができる。
【符号の説明】
【００６１】
１  医療用吸引装置
２  筐体
２０２  グリップ部
２０４  嘴管部
３  カセットリール装置
４  接離手段
５  駆動機構
６  吸引カテーテル
７  可撓性管部
８，９  操作部
１４  中空管体
１６  芯受け
１７  結合部
１９  先端部
２３  保護ケース内の空隙
２９  閉鎖空間
３０  外部吸引装置
５０  回転体
５２  駆動モータ
５５  伝達装置
６０  電源
８０  繰り出し長さ設定装置
８２  制御装置
８４  ディスプレイ装置
１２４  連通孔
１２６  連通孔